(57)【要約】【課題】食材への関心を高めること。【解決手段】実施形態の提供プログラムは、提供装置１０に、特定の生産元で生産された農畜水産物を用いた料理の購入に応じて提供された、該料理に含まれる農畜水産物の育成情報の配信サービスへのアクセス情報に基づいて該配信サービスへアクセスしたユーザ端末２０のアドレス情報を取得する処理を実行させる。また、提供装置１０に、農畜水産物の育成情報を収集し、収集した育成情報に基づいて、ユーザ端末２０に農畜水産物の成長過程を段階的に通知する処理を実行させる。【選択図】図１
2017173887.tif 000002
【特許請求の範囲】
【請求項１】
コンピュータに、
特定の生産元で生産された農畜水産物を用いた料理の購入に応じて提供された、該料理に含まれる前記農畜水産物の育成情報の配信サービスへのアクセス情報に基づいて該配信サービスへアクセスした端末のアドレス情報を取得すると、前記農畜水産物の育成情報を収集し、
収集した前記育成情報に基づいて、前記端末に前記農畜水産物の成長過程を段階的に通知する
処理を実行させることを特徴とする提供プログラム。
【請求項２】
前記生産元における複数の同種の農畜水産物のうちのいずれか１つの個体の特定を受け付けて、特定された該個体の成長過程を通知することを特徴とする請求項１に記載の提供プログラム。
【請求項３】
前記農畜水産物の購入予約を受け付けて、該農畜水産物の成熟時に購入可能になったことを前記端末に通知することを特徴とする請求項１または２に記載の提供プログラム。
【請求項４】
前記成長過程を、前記農畜水産物の重量または形状の変化量が所定の値に達した場合、天候が変化した場合、または所定の時間ごとに通知することを特徴とする請求項１〜３のいずれか１項に記載の提供プログラム。
【請求項５】
コンピュータが、
特定の生産元で生産された農畜水産物を用いた料理の購入に応じて提供された、該料理に含まれる前記農畜水産物の育成情報の配信サービスへのアクセス情報に基づいて該配信サービスへアクセスした端末のアドレス情報を取得すると、前記農畜水産物の育成情報を収集し、
収集した前記育成情報に基づいて、前記端末に前記農畜水産物の成長過程を段階的に通知する
処理を実行することを特徴とする提供方法。
【請求項６】
特定の生産元で生産された農畜水産物を用いた料理の購入に応じて提供された、該料理に含まれる前記農畜水産物の育成情報の配信サービスへのアクセス情報に基づいて該配信サービスへアクセスした端末のアドレス情報を取得する取得部と、
前記農畜水産物の育成情報を収集する収集部と、
収集した前記育成情報に基づいて、前記端末に前記農畜水産物の成長過程を段階的に通知する通知部と
を有することを特徴とする提供装置。
【発明の詳細な説明】
【技術分野】
【０００１】
本発明は、提供プログラム、提供方法及び提供装置に関する。
【背景技術】
【０００２】
近年、食材の品質に関心を寄せる消費者が増加している。それに伴い、食材に関する情報の見える化が進んでいる。例えば、野菜等の食材の生産者の顔が公表されている。また、品質にこだわって食材を限定量生産する生産者も増加している。このような生産者は、関心の高い消費者をリピータとして取り込むことを期待している。
【先行技術文献】
【特許文献】
【０００３】
【特許文献１】特開２００７−１６４７３５号公報
【特許文献２】特開２００５−２１５７２号公報
【特許文献３】特開平１１−２５０９８号公報
【特許文献４】特開２０１４−９７２２３号公報
【発明の概要】
【発明が解決しようとする課題】
【０００４】
しかしながら、高品質な食材の生産者の情報をテレビやインターネット等に公表したり口コミに頼るだけでは、消費者はこれらの情報を関心の高さに依らず受動的に受け取るのみであり、品質に高い関心を寄せる消費者になかなか情報が届かなかった。その結果、消費者の食材への関心を高めることができなかった。
【０００５】
１つの側面では、本発明は、食材への関心を高めることができる提供プログラム、提供方法及び提供装置を提供することを目的とする。
【課題を解決するための手段】
【０００６】
一態様では、コンピュータに、特定の生産元で生産された農畜水産物を用いた料理の購入に応じて提供された、該料理に含まれる農畜水産物の育成情報の配信サービスへのアクセス情報に基づいて該配信サービスへアクセスした端末のアドレス情報を取得する処理を実行させる。また、コンピュータに、農畜水産物の育成情報を収集し、収集した育成情報に基づいて、端末に農畜水産物の成長過程を段階的に通知する処理を実行させる。
【発明の効果】
【０００７】
食材への関心を高めることができる。
【図面の簡単な説明】
【０００８】
【図１】図１は、本実施例に係るシステムの構成を示す図である。
【図２】図２は、本実施例に係る提供装置の構成を示す機能ブロック図である。
【図３】図３は、育成情報テーブルの一例を示す図である。
【図４】図４は、アクセス情報の一例を示す図である。
【図５】図５は、農畜水産物の成長過程の段階的な通知を説明するための説明図である。
【図６】図６は、本実施例に係る提供処理の手順を示すフローチャートである。
【図７】図７は、応用例の概要を説明するための説明図である。
【図８】図８は、提供プログラムを実行するコンピュータのハードウェア構成例を示す図である。
【発明を実施するための形態】
【０００９】
以下に添付図面を参照して本願に係る提供プログラム、提供方法及び提供装置について説明する。なお、この実施例は開示の技術を限定するものではない。そして、各実施例は、処理内容を矛盾させない範囲で適宜組み合わせることが可能である。
【実施例】
【００１０】
［システム構成］
図１は、本実施例に係る提供装置１０を含むシステムの構成を示す図である。図１に示すシステムは、提供装置１０と、ユーザ端末２０と、情報サーバ３０とを有し、ネットワーク４０を介して相互に通信可能に接続されている。
【００１１】
ユーザ端末２０は、飲食店等の利用客が所持する携帯端末装置である。情報サーバ３０は、農畜水産物の生産元における育成情報の配信サービスを提供するサーバ装置である。ここで、農畜水産物には、トマトやしいたけ等の農作物、牛や豚などの畜産物、または養殖ハマチ等の水産物を含む。農畜水産物の生産元における育成情報には、例えば、しいたけ栽培農家によるしいたけの成長日記等が例示される。
【００１２】
提供装置１０は、飲食店等に設置される。提供装置１０は、後述する提供処理を実行し、料理購入時に提供されたアクセス情報を用いて料理に含まれる農畜水産物の育成情報の配信サービスにアクセスしたユーザ端末２０に、農畜水産物の成長過程を段階的に通知する。
【００１３】
［提供装置の構成］
図２は、本実施例に係る提供装置１０の機能的構成を示すブロック図である。図２に示す提供装置１０は、上述のとおり、料理購入時に提供されたアクセス情報を用いて料理に含まれる農畜水産物の育成情報の配信サービスにアクセスしたユーザ端末２０に、農畜水産物の成長過程を段階的に通知する提供処理を実行する。
【００１４】
一実施形態として、提供装置１０は、上記の提供処理がパッケージソフトウェアやオンラインソフトウェアとして提供される提供プログラムを所望のコンピュータにインストールさせることによって実装できる。例えば、提供装置１０は、飲食店等の店員が使用する情報処理装置に上記の提供プログラムをインストールさせることにより実装することができる。この他、提供装置１０は、上記の飲食店等の店員が使用する情報処理装置などをクライアント端末として収容するサーバ装置に上記の提供プログラムをインストールさせることにより実装することができる。この場合、提供装置１０は、売上管理などの業務システムの一部として実装されることとしてもよいし、上記の提供処理により実現されるサービスをアウトソーシングによって提供するクラウドとして実装することとしてもかまわない。
【００１５】
図２には、符号１１〜符号１５に対応する機能部が示されているが、これはあくまで一例に過ぎず、図示された機能部の一部を省略したり、図示以外の機能部が提供装置１０に備わることを妨げない。例えば、飲食店等の店員が使用する情報処理装置が提供装置１０として実装される場合、パーソナルコンピュータや携帯端末装置等が標準装備する機能部、例えば入力デバイス、画像または音声の出力デバイス、通信インタフェース等の他、スキャナ等の読取部やセンサ等の検知部等の機能部を有することとしてもかまわない。また、上記の業務システムの一部として提供装置１０が実装される場合、後述する育成情報テーブル１４ａ以外のデータを管理するデータベースが提供装置１０の記憶部１４、例えば主記憶装置や補助記憶装置等に記憶されることとしてもよい。
【００１６】
図２に示すように、提供装置１０は、あくまで一例として、通信部１１と、入力部１２と、記憶部１４と、制御部１５とを有する。なお、図２には、データの入出力の関係を表す実線が示されているが、説明の便宜上、最小限の部分について示されているに過ぎない。すなわち、各処理部に関するデータの入出力は、図示の例に限定されず、図示以外のデータの入出力、例えば処理部及び処理部の間、処理部及びデータの間、または、処理部及び外部装置の間のデータの入出力が行われることとしてもかまわない。
【００１７】
通信部１１は、ネットワーク４０を介して、ユーザ端末２０や情報サーバ３０等の外部装置と制御部１５とのデータ通信を制御する処理部である。通信部１１は、例えば、ＮＩＣ（Network  Interface  Card）等の通信装置に対応する。
【００１８】
入力部１２は、提供装置１０に各種の情報を入力するための入力装置である。例えば、入力部１２は、マウスやキーボード、タッチパネル、入力ボタン等に対応する。
【００１９】
記憶部１４は、制御部１５で実行されるＯＳ（Operating  System）やアプリケーションプログラムなどの各種プログラムに用いられるデータを記憶するデバイスである。例えば、記憶部１４は、提供装置１０における主記憶装置として実装される。例えば、記憶部１４には、各種の半導体メモリ素子、例えばＲＡＭ（Random  Access  Memory）やフラッシュメモリを採用できる。また、記憶部１４は、補助記憶装置として実装することもできる。この場合、ＨＤＤ（Hard  Disk  Drive）、光ディスクやＳＳＤ（Solid  State  Drive）などを採用できる。
【００２０】
記憶部１４は、制御部１５で実行されるプログラムに用いられるデータの一例として、育成情報テーブル１４ａを記憶する。このデータ以外にも、記憶部１４には、他の電子データを併せて記憶することもできる。
【００２１】
育成情報テーブル１４ａは、農畜水産物の育成情報を管理するものであり、適時に情報サーバ３０から収集され、記憶部１４に格納される。図３は、本実施例に係る育成情報テーブル１４ａのデータ構成の一例を示す図である。図３に例示するように、育成情報テーブル１４ａは、日時、生産者、品種名、個体Ｎｏ．、重量、高さ、形状、およびコメント等を含む。
【００２２】
ここで、日時は、各レコードが記録された日時を表す。生産者は、生産元の農家等の名称で表される。品種名は、トマトやしいたけ等の農作物、牛や豚などの畜産物、または養殖ハマチ等の水産物の品種の名称で表される。個体Ｎｏ．とは、生産元において各品種の各個体を識別する情報を意味する。
【００２３】
また、重量および高さとは、記録日時における個体の重量および高さの計測値を意味する。形状には、例えば、個体の写真が例示される。コメントには、例えば、生産者による観測日記等のテキスト情報が例示される。
【００２４】
図２の説明に戻る。制御部１５は、各種のプログラムや制御データを格納する内部メモリを有し、これらによって種々の処理を実行するものである。
【００２５】
例えば、制御部１５は、中央処理装置、いわゆるＣＰＵ（Central  Processing  Unit）として実装される。制御部１５は、必ずしも中央処理装置として実装されずともよく、ＭＰＵ（Micro  Processing  Unit）やＤＳＰ（Digital  Signal  Processor）として実装されることとしてもよい。このように、制御部１５は、プロセッサとして実装されればよく、その種別が汎用型か特化型であるかは問われない。また、制御部１５は、ＡＳＩＣ（Application  Specific  Integrated  Circuit）やＦＰＧＡ（Field  Programmable  Gate  Array）などのハードワイヤードロジックによっても実現できる。
【００２６】
制御部１５は、各種のプログラムを実行することによって下記の処理部を仮想的に実現する。例えば、制御部１５は、図２に示すように、取得部１５ａと、収集部１５ｂと、通知部１５ｃとを有する。
【００２７】
取得部１５ａは、料理に含まれる農畜水産物の育成情報の配信サービスへのアクセス情報に基づいて配信サービスへアクセスしたユーザ端末２０のアドレス情報を取得する処理部である。このアクセス情報は、特定の生産元で生産された農畜水産物を用いた料理の購入に応じて提供される。
【００２８】
具体的に、アクセス情報とは、農畜水産物の育成情報の配信サービスへアクセスするための情報であり、ＱＲコード（登録商標）やＵＲＬ等が例示される。このアクセス情報は、利用客が購入した料理に付随して提供される。例えば、お品書き等として紙媒体に記載されて料理とともに提供されてもよいし、各テーブルに配置された不図示の注文用のタブレット端末等に、料理到着時等に表示されて提供されてもよい。
【００２９】
ここで、図４は、アクセス情報の一例を示す図である。利用客は、例えば、美味しいと思った食材について、図４に例示するようにタブレット端末等に表示されたアクセス情報を用いて、所持するユーザ端末２０から農畜水産物の育成情報の配信サービスへアクセスする。図４には、料理に含まれていた鈴木さんのしいたけの育成情報の配信サービスにアクセスするＱＲコードが例示されている。
【００３０】
利用客が、提供されたアクセス情報を用いて、所持するユーザ端末２０から配信サービスへアクセスした場合に、取得部１５ａは、アクセスしたユーザ端末２０のアドレス情報を取得する。例えば、アクセス情報のアクセス先を提供装置１０にしておき、ユーザ端末２０のアドレス情報を取得できるようにしておけばよい。なお、アクセス情報のアクセス先が情報サーバ３０の場合には、情報サーバ３０がユーザ端末２０のアドレス情報を取得して提供装置１０に通知するようにしてもよい。これにより、アクセスした農畜水産物の育成情報の配信サービスの配信先として、このユーザ端末２０の登録が可能となる。
【００３１】
図２の説明に戻る。収集部１５ｂは、農畜水産物の育成情報を収集する処理部である。一実施形態として、収集部１５ｂは、ユーザ端末２０のアドレス情報が取得された後、定期的に、あるいは指示が入力された場合に随時、情報サーバ３０から育成情報を収集して記憶部１４の育成情報テーブル１４ａに格納している。収集部１５ｂは、この収集の周期は、後述する提供処理における提供装置１０からユーザ端末２０への通知タイミングの周期より短いものとする。
【００３２】
通知部１５ｃは、収集した育成情報に基づいて、ユーザ端末２０に農畜水産物の成長過程を段階的に通知する処理部である。一実施形態として、通知部１５ｃは、予め設定された所定の通知タイミングに、育成情報テーブル１４ａに基づいて農畜水産物の成長過程をユーザ端末２０に通知する。
【００３３】
通知部１５ｃは、成長過程を、農畜水産物の重量または形状の変化量が所定の値に達した場合、天候が変化した場合、または所定の時間ごとに通知する。すなわち、通知タイミングとして、例えば、規定の時間が経過した場合、重量の変化量が規定値に達した場合、つるの伸長量等の形状の変化量が既定値に達した場合、あるいは茎の高さや葉の量が規定値に達した場合等が例示される。ここで、変化量とは、時間当たりの変化量、総量の変化量のいずれであってもよい。
【００３４】
また、規定の形状から外れた形になった場合を通知タイミングとしてもよい。例えば、きゅうりの規定の形状は真っ直ぐであるところ、曲がった場合を通知タイミングとしてもよい。また、強風、降雨、日照等の天候の変化があった場合を通知タイミングとしてもよい。
【００３５】
図５は、農畜水産物の成長過程の段階的な通知を説明するための説明図である。図５に示す例では、××農場の鈴木さんのしいたけの成長過程が、３回の日時等の通知タイミングに段階的にユーザ端末２０に通知されている。各通知タイミングには、例えば、図３に例示した１２月１３日の個体Ｎｏ．３０１２のしいたけの育成情報のレコードに基づいて、図５（ａ）に例示する通知画面が生成される。
【００３６】
なお、また、図５（ａ）〜（ｃ）に例示するように、各通知タイミングの通知画面に、個体Ｎｏ．３０１２のしいたけの育成情報の全レコードに基づいて、成長の変化を表す成長記録を表示してもよい。この成長記録には、併せて予測される収穫予定の日時が表示されるとよい。
【００３７】
［処理の流れ］
図６は、本実施例に係る提供処理の手順を示すフローチャートである。一例として、図６に示すように、提供処理は、例えば、ユーザ端末２０が、料理に含まれる農畜水産物の育成情報の配信サービスへアクセスした場合に起動される。まず、取得部１５ａが、配信サービスにアクセスしたユーザ端末２０のアドレス情報を取得して（ステップＳ１）、このユーザ端末２０を当該農畜水産物の育成情報の配信サービスの配信先に登録する。また、収集部１５ｂが、情報サーバ３０にアクセスして育成情報を取得する（ステップＳ２）。
【００３８】
通知部１５ｃは、所定の通知タイミングであるか否かを確認し（ステップＳ３）、通知タイミングでなければ（ステップＳ３，Ｎｏ）、ステップＳ２に処理を戻す。一方、通知タイミングであれば（ステップＳ３，Ｙｅｓ）、通知部１５ｃは、育成情報テーブル１４ａに基づいて、ユーザ端末２０に当該農畜水産物の成長過程を通知して（ステップＳ４）、ステップＳ２に処理を戻す。
【００３９】
［効果の一側面］
上述してきたように、本実施例において、料理に含まれる農畜水産物の育成情報の配信サービスへのアクセス情報が、特定の生産元で生産された農畜水産物を用いた料理の購入に応じて提供される。利用客が、提供されたアクセス情報に基づいてユーザ端末２０から配信サービスにアクセスした場合に、提供装置１０の取得部１５ａが、配信サービスへアクセスしたユーザ端末２０のアドレス情報を取得する。また、収集部１５ｂが、農畜水産物の育成情報を収集する。また、通知部１５ｃが、収集した育成情報に基づいて、ユーザ端末２０に農畜水産物の成長過程を段階的に通知する。
【００４０】
これにより、本実施例の提供装置１０は、食材の品質に関心を寄せる消費者と品質にこだわって食材を生産する生産者とを有効に結びつけて、食材への関心を高めることができる。
【００４１】
なお、提供装置１０は、生産元における同種の農畜水産物のうちいずれか１つの個体の特定を受け付けて、特定された該個体の成長過程を通知するようにしてもよい。食材への関心を、より高めることができる。例えば、アクセス情報を用いてアクセスしたユーザ端末２０に、個体を特定する入力をさせることで実現される。
【００４２】
また、提供装置１０は、農畜水産物の成熟時に購入可能になったことをユーザ端末２０に通知してもよい。例えば、収穫時が決定した場合に、ユーザ端末２０に購入サイトを通知することで実現される。図５に例示した収穫予定の通知に併せて、農畜水産物の購入予約を受け付けてもよい。これにより、生産者と消費者とを実効的に結びつけることができる。
【００４３】
また、図７は応用例の概要を説明するための説明図である。図７に示す例では、利用客が、図７（ａ）に例示されたアクセス情報に基づいてユーザ端末２０から配信サービスにアクセスした場合に、提供装置１０の取得部１５ａが、配信サービスへアクセスしたユーザ端末２０のアドレス情報を取得する。
【００４４】
これにより、図７（ｂ）に例示するように、アクセスした食材の育成情報の配信サービスの配信先として、このユーザ端末２０の登録が可能となる。図７（ｂ）に示す例では、このユーザ端末２０に農畜水産物の育成情報の配信サービスを提供する情報配信アプリに、山田さんのトマトが登録されている。
【００４５】
ここで、農畜水産物の育成情報の配信サービスは、例えば、図７（ｃ）に示すように、農畜水産物に関するソーシャルネットワーキングサービス（ＳＮＳ）でもよい。図７（ｃ）には、山田さんのトマトに関心を寄せる消費者が、山田さんのトマトの育成情報を共有するタイムラインに登録されるＳＮＳが例示されている。図７（ｃ）に示す例において、「いただきます」と言っているファンとは、関心を寄せる消費者を意味している。
【００４６】
その場合にも、図７（ｄ）および上述した図５に例示するように、登録した農畜水産物の成長過程が段階的にユーザ端末２０に通知される。また、図７（ｅ）に例示するように、消費者に人気のある農水畜産物の情報の共有も可能となる。図７（ｅ）に示す例では、野菜に関する情報を取り扱う「○×ログ」というウェブサイトにおいて、神奈川の野菜の人気ランキングの情報が共有されている。
【００４７】
［提供プログラム］
また、上記の実施例で説明した各種の処理は、予め用意されたプログラムをパーソナルコンピュータやワークステーションなどのコンピュータで実行することによって実現することができる。そこで、以下では、図８を用いて、上記の実施例と同様の機能を有する提供プログラムを実行するコンピュータの一例について説明する。
【００４８】
図８は、提供プログラムを実行するコンピュータのハードウェア構成の一例を示す図である。図８に示すように、コンピュータ１００は、入力部１２等の入力装置１１０と、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【００４９】
ＨＤＤ１７０には、図８に示すように、上記の実施例で示した制御部１５と同様の機能を発揮する提供プログラム１７０ａが記憶される。この提供プログラム１７０ａは、図２に示した制御部１５の各構成要素と同様、統合又は分離してもかまわない。すなわち、ＨＤＤ１７０には、必ずしも上記の実施例で示した全てのデータが格納されずともよく、処理に用いるデータがＨＤＤ１７０に格納されればよい。
【００５０】
このような環境の下、ＣＰＵ１５０は、ＨＤＤ１７０から提供プログラム１７０ａを読み出した上でＲＡＭ１８０へ展開する。この結果、提供プログラム１７０ａは、図８に示すように、提供プロセス１８０ａとして機能する。この提供プロセス１８０ａは、ＲＡＭ１８０が有する記憶領域のうち提供プロセス１８０ａに割り当てられた領域にＨＤＤ１７０から読み出した各種データを展開し、この展開した各種データを用いて各種の処理を実行する。なお、ＣＰＵ１５０では、必ずしも上記の実施例で示した全ての処理部が動作せずともよく、実行対象とする処理に対応する処理部が仮想的に実現されればよい。
【００５１】
なお、上記の提供プログラム１７０ａは、必ずしも最初からＨＤＤ１７０やＲＯＭ１６０に記憶されておらずともかまわない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらの装置から各プログラムを取得して実行するようにしてもよい。
【符号の説明】
【００５２】
１０  提供装置
１１  通信部
１２  入力部
１４  記憶部
１４ａ  育成情報テーブル
１５  制御部
１５ａ  取得部
１５ｂ  収集部
１５ｃ  通知部
２０  ユーザ端末
３０  情報サーバ
４０  ネットワーク
【図１】
2017173887.tif 000003
【図２】
2017173887.tif 000004
【図３】
2017173887.tif 000005
【図４】
2017173887.tif 000006
【図５】
2017173887.tif 000007
【図６】
2017173887.tif 000008
【図７】
2017173887.tif 000009
【図８】
2017173887.tif 000010